(57)【要約】【課題】燃料電池の運転状況に応じて燃料電池内部の水分量を適切に管理する燃料電池システムを提供する。【解決手段】本燃料電池システムは、アノードオフガスを燃料電池のカソード入口へ送る接続通路と、この接続通路に設けられた開閉弁と、燃料電池内部の湿度を検出する湿度検出手段と、この湿度検出手段により検出された湿度が所定の閾値よりも低い場合に上記開閉弁を開く制御手段と、を備える。【選択図】  図１
2008288147.tif 000002
【特許請求の範囲】
【請求項１】
アノードオフガスを燃料電池のカソード入口へ送る接続通路と、
前記接続通路に設けられた開閉弁と、
前記燃料電池内部の湿度を検出する湿度検出手段と、
前記湿度検出手段により検出された湿度が所定の閾値よりも低い場合に、前記開閉弁を開く制御手段と、
を備えることを特徴とする燃料電池システム。
【請求項２】
前記湿度検出手段は、アノードオフガス通路に設置された露点計であり、
前記制御手段は、前記露点計で検出された露点が所定の閾値よりも低い場合に、前記開閉弁を開く、
ことを特徴とする請求項１に記載の燃料電池システム。
【請求項３】
前記湿度検出手段は、前記燃料電池を構成する各セルの出力電圧の統計情報を前記燃料電池内部の湿度を示す情報として出力し、
前記制御手段は、前記各セルの出力電圧の統計情報に基づいて、前記燃料電池内部の湿度が所定の閾値よりも低いと判断することを特徴とする請求項１に記載の燃料電池システム。
【請求項４】
前記アノードオフガスの循環路と、
前記循環路から前記接続通路へアノードオフガスを送出する送出弁と、
前記接続通路に設けられ前記アノードオフガスを排気路に送出する排気弁と、
を更に備え、
前記制御手段は、前記排気弁を開くことにより前記送出弁を通過したアノードオフガスを排出路へ所定の時間送出した後、前記開閉弁を開く、
ことを特徴とする請求項１から３のいずれか１つに記載の燃料電池システム。
【請求項５】
前記循環路に設けられた循環ポンプを更に備え、
前記制御手段は、前記循環ポンプの回転数に基づいて前記所定の時間を決定する、
ことを特徴とする請求項４に記載の燃料電池システム。
【請求項６】
前記アノードオフガスの水素濃度を検出する濃度検出手段を更に備え、
前記制御手段は、前記アノードオフガスの水素濃度が所定の閾値よりも低い場合に前記排気弁を開く、
ことを特徴とする請求項４又は５に記載の燃料電池システム。
【発明の詳細な説明】
【技術分野】
【０００１】
本発明は、燃料電池システムに関し、特に、燃料電池内部の水分管理の技術に関する。
【背景技術】
【０００２】
図９は、固体高分子電解質型燃料電池（ＰＥＦＣ）の単セルの構成例を示す斜視図である。この図９の例に示すように、燃料電池には、固体高分子電解質膜９０１を燃料ガス電極（アノード）９０２と酸化剤ガス電極（カソード）９０３とで挟み、更にそれら電極の両側をガス供給路の設けられたセパレータ９０４及び９０５で挟むように形成されるセル９００が所定数積層されたセルスタックにより構成されるものがある。
【０００３】
セルスタックを構成する各セル９００は、正面に、図９に示すような矩形状の端面をそれぞれ有し、各端面にはそれぞれ左右両端に縦に並ぶ３つずつの貫通孔（以降、マニホールドと表記する）が開いている。各セル９００のそれぞれにおける各マニホールドは、セル９００の積層方向に互いに繋がることによりそれぞれ通路を形成する。これら通路のうち、各端面の左上部のマニホールド９２１が繋がった通路には、燃料ガスが図９の右方向に向かって流れる。以降、この通路を燃料ガス供給通路と表記する。一方、この燃料ガス供給通路を形成するマニホールド９２１の対角線上（端面右下）に位置するマニホールド９２２が繋がることで形成される通路には、燃料ガスのうち発電に供しなかったもの（以降、アノードオフガスと表記する）が燃料ガスとは逆方向（図１の左方向）に流れる。以降、この通路をアノードオフガス排出通路と表記する。また、各端面の右上部のマニホールド９１１が繋がった通路には、酸化剤ガスが図１の右方向に向かって流れる。以降、この通路を酸化剤ガス供給通路と表記する。この酸化剤ガス供給通路を形成するマニホールド９１１の対角線上（端面左下）に位置するマニホールド９１２が繋がることで形成される通路には、酸化剤ガスのうち発電に供しなかったもの（以降、カソードオフガスと表記する）が酸化剤ガスとは逆方向（図１の左方向）に流れる。以降、この通路をカソードオフガス排出通路と表記する。
【０００４】
このような燃料電池のセル９００では、アノード９０２に接合されるセパレータ９０４のガス供給路に燃料ガスが供給され、カソード９０３に接合されるセパレータ９０５のガス供給路に酸化剤ガスが供給される。燃料電池は、このように供給される燃料ガスと酸化剤ガスとを固体高分子電解質膜９０１を介して反応させることにより発電を行う。
【０００５】
このとき、カソード９０３の触媒層では化学反応により水が生成される。この生成水は、逆拡散により、固体高分子電解質膜９０１を通じてアノード９０２へ移動する。更に、この固体高分子電解質膜９０１内では、アノード９０２側の水素イオンが水分子と共にカソード９０３側へ移動する電気浸透現象が起こる。よって、逆拡散によりカソード９０３からアノード９０２へ移動する水（以降、拡散水と表記する）の量と電気浸透現象によりアノード９０２からカソード９０３へ移動する水（以降、随伴水と表記する）の量との差に応じた水分量が電解質膜内を移動する。
【０００６】
ところで、セパレータに設けられるガス供給路の形態には様々ものがある。図１０は、図９に示すセパレータ９０４及び９０５を正面から見た場合のガス供給路の構成例を示す図である。図１０では、セパレータ９０４が背面でアノード９０２に接合するため、セパレータ９０４の背面に形成される燃料ガス供給路９４０が点線で示されている。一方、セパレータ９０５は正面でカソード９０３に接合するため、図１０にはセパレータ９０５の正面に形成される酸化剤ガス供給路９５０が実線で示されている。
【０００７】
図１０に示すように、セパレータ９０４及び９０５において、燃料ガス供給路９４０及び酸化剤ガス供給路９５０は、それぞれガス流路が対向するように形成されており、各供給路に酸化剤ガスと燃料ガスとが逆方向に流れるように形成される。このようなセパレータの形態をカウンターフロー型と呼ぶ。現在、このようなカウンターフロー型のセパレータが主流になりつつある。
【０００８】
図１１は、カウンターフロー型のセパレータを備える単セルの部分断面図、すなわち、図９においてセル９００をマニホールド９２１で形成される燃料ガス供給通路とマニホールド９１１で形成される酸化剤ガス供給通路とを結ぶ線で切断し上方から見た場合の部分断面図である。
【０００９】
図１１に示すように、カウンターフロー型のセパレータでは、セパレータ９０４のガス供給路９４０に流れる燃料ガスとそれに対向するセパレータ９０５のガス供給路９５０に流れる酸化剤ガスとが逆行する。この場合に、各セルのカソードにおける水分量は、酸化剤ガス供給通路側（図１１の右方向）（以降、セルの酸化剤ガス入口とも表記する）からカソードオフガス排出通路側（図１１の左方向）（以降、セルの酸化剤ガス出口とも表記する）へ向けて徐々に多くなる。一方、各セルのアノード側では随伴水がアノード９０２からカソード９０３方向へ移動している。
【００１０】
従って、このようなセパレータを持つセルでは、随伴水としてアノード９０２の水分子がカソード９０３側へ移動するにも関わらず、カソード９０３の酸化剤ガス入口付近では生成水が少ないためアノード９０２側へ移動する拡散水が少ない。結果として、このようなセパレータを持つセルは、カソード９０３の酸化剤ガス入口付近及びアノード９０２の燃料ガス出口付近ではそれぞれ水分が不足するという現象が生じやすくなる。なお、このような現象は、カウンターフロー型のセパレータを持つセルに限らず、対向するセパレータに設けられたガス供給路間で酸化剤ガス入口付近と燃料ガス出口付近とが電極及び電解質膜を挟んで対向する構成を持つセルにおいても同様に発生すると考えられる。
【００１１】
このような現象が発生することによる電解質膜の劣化や出力電力の低下を防ぐために、外部加湿モジュールを設け、酸化剤ガス若しくは燃料ガスを加湿してセルに供給する構成が採られる。
【００１２】
この外部加湿モジュールを削減するために、燃料電池から排気されたアノードオフガスを酸化剤ガスと混合させた上でカソードへ導入する手法が開示されている（下記特許文献１及び２参照）。この手法によれば、カソードの触媒作用によってアノードオフガス中の水素を酸化させ水に転化させることができるため、電池反応による生成水とともに電解質膜を湿潤にすることができる。なお、下記特許文献２には、カソードへ略均等にアノードオフガスを供給するためにアノードオフガスの水素濃度を低減する手法が開示されている。
【００１３】
本願発明に係るその他の先行技術文献としては、以下のような文献が開示されている。
【特許文献１】特開平１１−１８５７８２号公報
【特許文献２】特開２００５−１７４７５７号公報
【特許文献３】特開２００４−７１３４９号公報
【特許文献４】特開２００４−２６５６８４号公報
【特許文献５】特開２００４−４７１５４号公報
【発明の開示】
【発明が解決しようとする課題】
【００１４】
上述したようなカソードの酸化剤ガス入口及びアノードの燃料ガス出口においてそれぞ
れ水分が不足するという現象は、外部加湿モジュールを持たないシステムにおいて燃料電池が高温になり酸化剤ガスの流量が大きい運転条件に発生しやすいと考えられる。
【００１５】
しかしながら、上述のような従来技術では、燃料電池から排気されたアノードオフガスを酸化剤ガスと混合させた上でカソードへ導入する構成を採ることにより外部加湿モジュールを削減することができたとしても、上述のような燃料電池の運転状況に応じて電解質膜の湿潤状態の過不足が変化する場合に対応できないという問題があった。
【００１６】
本発明の目的は、燃料電池の運転状況に応じて燃料電池内部の水分量を適切に管理する燃料電池システムを提供することにある。
【課題を解決するための手段】
【００１７】
本発明は、上述した課題を解決するために以下の手段を採用する。即ち、本発明に係る燃料電池システムは、アノードオフガスを燃料電池のカソード入口へ送る接続通路と、この接続通路に設けられた開閉弁と、燃料電池内部の湿度を検出する湿度検出手段と、この湿度検出手段により検出された湿度が所定の閾値よりも低い場合に上記開閉弁を開く制御手段と、を備える。
【００１８】
ここで、燃料電池内部の湿度とは、電解質膜の水分量を含む燃料電池内部の湿潤状態である。
【００１９】
本発明によれば、上記接続通路によりアノードオフガスが燃料電池のカソード入口へ供給される。これにより、カソードへ供給されたアノードオフガスがカソードの触媒反応により水に転化し透過水量が増すため酸化剤ガス入口付近を湿潤にすることができ、結果として、燃料電池内の電解質膜全体を湿潤に保つことができる。
【００２０】
更に、本発明によれば、燃料電池内部の湿度に応じてアノードオフガスのカソード入口への供給の要否が決定されるため、燃料電池の運転状況に応じて燃料電池内部（電解質膜を含む）の湿潤状態の過不足が変化する場合にも適切に燃料電池スタック内部の湿度調整を行うことができる。
【００２１】
また、上記制御手段は、燃料電池内部の湿度低い程、開閉弁の開度が大きくなるように制御するようにすれば、燃料電池内の湿潤状態を満たすのに必要な量のアノードオフガスがカソード入口に運ばれるため、より適切に燃料電池スタック内部の湿度調整を行うことができる。
【００２２】
また、好ましくは、上記湿度検出手段は、アノードオフガス通路に設置された露点計であり、上記制御手段は上記露点計で検出された露点が所定の閾値よりも低い場合に上記開閉弁を開くように制御する。
【００２３】
また、好ましくは、上記湿度検出手段は、燃料電池を構成する各セルの出力電圧の統計情報を燃料電池内部の湿度を示す情報として出力し、上記制御手段は、当該各セルの出力電圧の統計情報に基づいて、燃料電池内部の湿度が所定の閾値よりも低いと判断する。
【００２４】
このようにすれば、更に、露点計等の燃料電池内の湿度を計測する機器を備えることなく、燃料電池内の湿潤状態が把握されるため、システムの部品の削減及び低コスト化を図ることができる。
【００２５】
また、好ましくは、アノードオフガスの循環路と、当該循環路から上記接続通路へアノードオフガスを送出する送出弁と、上記接続通路に設けられアノードオフガスを排気路に
送出する排気弁と、を更に備えるようにし、上記制御手段は、当該排気弁を開くことにより当該送出弁を通過したアノードオフガスを排出路へ所定の時間送出した後、上記開閉弁を開くように制御する。
【００２６】
このようにすれば、当該循環路により長時間循環されたことによりアノードオフガスの水素以外の成分濃度が高くなっている場合においても、所定の時間排出されることによりアノードオフガスの水素以外の成分を除去し水素濃度が高まったアノードオフガスをカソード入口へ供給することができる。これにより、カソードに供給される酸化剤ガスの酸素濃度が低減することを防ぐことができ、ひいては、燃料電池の発電効率の低下を防ぐことができる。
【００２７】
また、好ましくは、上記循環路に設けられた循環ポンプを更に備えるようにし、上記制御手段は、当該循環ポンプの回転数に基づいて上記アノードオフガスを排出路へ送出する所定の時間を決定する。
【００２８】
このようにすれば、水素以外の成分濃度の高まったアノードオフガスを排出するのに要する時間を適切に決めることができる。
【００２９】
また、好ましくは、上記アノードオフガスの水素濃度を検出する濃度検出手段を更に備えるようにし、上記制御手段は、アノードオフガスの水素濃度が所定の閾値よりも低い場合に上記排気弁を開く。
【００３０】
このようにすれば、アノードオフガスの排出の要否が検出されたアノードオフガスの水素濃度により決定されるため、不必要なアノードオフガスの排出を防ぐことができ、有効にアノードオフガスを利用することができる。
【発明の効果】
【００３１】
本発明によれば、燃料電池の運転状況に応じて燃料電池内部の水分量を適切に管理する燃料電池システムを提供することができる。
【発明を実施するための最良の形態】
【００３２】
以下、図面を参照して、それぞれ本発明の実施形態における燃料電池システムについて説明する。なお、以下に述べる実施形態の構成は例示であり、本発明は以下の実施形態の構成に限定されない。
【００３３】
［第一実施形態］
本発明の第一実施形態における燃料電池システムについて、以下に説明する。
【００３４】
〔システム構成〕
本発明の第一実施形態における燃料電池システムの構成について図１を用いて説明する。図１は、本発明の第一実施形態としての燃料電池システムの構成例を示す図である。本実施形態における燃料電池システムは、固体高分子電解質型燃料電池（以下、単に燃料電池と表記する）スタック１０、エアコンプレッサ１２、圧力調整弁１３、露点計１５、気液分離器１６、燃料ガス循環ポンプ１７、流量調整弁１８、排気排水弁２１、三方弁２２、ＥＣＵ（Electric Control Unit）２５等を備える。
【００３５】
エアコンプレッサ１２は、例えばエアフィルタ等を介して大気から取り込まれる空気を酸化剤ガスとして所定量分圧縮して、酸化剤ガス供給用の配管３１へ送り出す。なお、本発明は、エアコンプレッサ１２から送り出される酸化剤ガスは、このような圧縮空気に限定されるものではない。
【００３６】
流量調整弁１８は、燃料ガス供給装置（図示せず）からの燃料ガスを燃料電池スタック１０の要求発電量等に応じて所定流量分送り出す。流量調整弁１８を通過した燃料ガスは、燃料ガス供給用の配管３５を通り燃料電池スタック１０へ供給される。燃料ガスとしては、水素ガス又は水素混合ガス等が利用される。
【００３７】
燃料電池スタック１０は、図９に示すような固体高分子電解質膜９０１をアノード９０２とカソード９０３とで挟み、更にそれら電極の両側をガス供給路の設けられたセパレータ９０４及び９０５で挟むように形成されるセルが所定数積層されたセルスタックにより構成される。また、燃料電池スタック１０は、各マニホールドが積層方向にそれぞれ繋がることにより形成される、燃料ガス供給通路、酸化剤ガス供給通路、アノードオフガス供給通路、カソードオフガス供給通路を有している。上記流量調整弁１８を通過した燃料ガスは、配管３５を通り、燃料電池スタック１０の燃料ガス供給通路へ流入し、セパレータのガス供給路９４０（図１０参照）により各セルのアノード９０２に供給される。一方、エアコンプレッサ１２から送り出される酸化剤ガスは、配管３１を通り、燃料電池スタック１０の酸化剤ガス供給通路へ流入し、セパレータのガス供給路９５０（図１０参照）により各セルのカソード９０３に供給される。
【００３８】
燃料電池スタック１０は、各セルにおいてこのように供給される燃料ガスと酸化剤ガスとを固体高分子電解質膜を介してそれぞれ反応させることにより発電を行う。各セルのカソードでは、カソードを構成する触媒層において、酸素とプロトンと電子とによる還元反応により水が生成される。そして、アノードオフガスは燃料ガス排出通路を通り、カソードオフガスは酸化剤ガス排出通路を通り、それぞれ燃料電池スタック１０から排出される。
【００３９】
圧力調整弁１３は、燃料電池スタック１０から排出されるカソードオフガスが通る配管３２に配置され、配管３２内、燃料電池スタック１０内の酸化剤ガス及びカソードオフガスの気圧（エアコンプレッサ１２の背圧）を調整する。
【００４０】
露点計１５は、燃料電池スタック１０から排出されるアノードオフガスが通る配管３３に配置され、アノードオフガスの露点、すなわちアノードオフガスに含まれる水分量を計測する。アノードオフガスは、随伴水と拡散水とのバランスにより電解質膜を移動する水分を含み燃料電池スタック１０から送出されるため、燃料電池スタック１０内部の湿度が反映された状態となっている。本実施形態における燃料電池システムは、このアノードオフガスの露点を計測することにより、燃料電池スタック１０内の湿度を把握する。
【００４１】
なお、本発明は、この露点計１５の設置場所を限定するものではない。露点計１５は、アノードオフガスに含まれる水分量を計測できればよいため、燃料電池スタック１０内に配置されるようにしてもよい。また、本実施形態ではアノードオフガスに含まれる水分量を計測するために露点計１５を利用する例を示したが、露点計１５に限定するものではなく、湿度計等、燃料電池スタック１０内部の湿度（電解質膜の水分量）が測れるものであればよい。露点計１５からの出力信号（計測値）はＥＣＵ２５に送られる。
【００４２】
気液分離器１６は、配管３３を通るアノードオフガスから液層成分を除去する。気液分離器１６は、機器内に取り込まれたアノードオフガスに含まれる水蒸気を壁面等で凝縮させることにより気液分離する。液層成分の除去されたアノードオフガスは、配管３４を通り燃料ガス循環ポンプ１７方向へ送り出される。
【００４３】
燃料ガス循環ポンプ１７は、回転駆動用のモータ等を備え、配管３４を通るアノードオフガスを燃料電池スタック１０へ再供給するために、当該アノードオフガスを燃料ガス供
給用の配管３５へ送り出す。このアノードオフガスは、燃料ガス供給装置（図示せず）から供給され流量調整弁１８を通過した燃料ガスとこの配管３５により混合され、再度燃料電池スタック１０へ供給される。このように、本実施形態における燃料電池システムでは、燃料電池スタック１０から排出されたアノードオフガスが再び燃料電池スタック１０へ供給されるアノードオフガス循環経路が形成されている。
【００４４】
排気排水弁２１は、気液分離器１６と配管３６との間に設けられている。排気排水弁２１は、ＥＣＵ２５により開閉制御され（図示せず）、気液分離器１６により液層成分の除去されたアノードオフガスの一部をアノードオフガス循環経路から排出する。
【００４５】
三方弁２２は、配管３６と排気路３９とアノードオフガス供給路３７との間に配置される。三方弁２２は、排気排水弁２１から排出され配管３６を通過してきたアノードオフガスが流入する口とそのアノードオフガスを排気路３９へ排出する口とそのアノードオフガスをアノードオフガス供給路３７へ送る口とを有する。三方弁２２は、ＥＣＵ２５により、アノードオフガスの流路制御に利用される。三方弁２２としては、流路と共にその流量を調節することができるものであってもよいし、開又は閉で動作するオンオフ弁であってもよい。
【００４６】
三方弁２２は、流量も制御可能な場合には、ＥＣＵ２５の制御により、排気路３９へ排出されるアノードオフガスの量及びアノードオフガス供給路３７へ送り出されるアノードオフガスの量が制御される。
【００４７】
アノードオフガス供給路３７は、酸化剤ガス供給用の配管３１と接続する。これにより、三方弁２２から送出されたアノードオフガスは、アノードオフガス供給路３７を通り、配管３１でエアコンプレッサ１２から送り出される酸化剤ガスと混合される。このアノードオフガスと酸化剤ガスとの混合ガスは燃料電池スタック１０の酸化剤ガス供給通路へ流入し、各セルのカソードへ供給される。カソードへ供給されたアノードオフガスは、カソードの触媒層上で燃焼し水に転化する。このような構造により、外部加湿モジュールを持たない燃料電池システムにおいても、図１１に示した従来乾燥しやすい部分であった各セルのカソードの酸化剤ガス入口付近を湿潤に保つことが可能となる。これにより、カソードでアノードオフガスから転化された水は、拡散水として電解質膜を移動しようとするため、アノードの燃料ガス出口付近をも湿潤に保つことができる。
【００４８】
なお、本実施形態では、アノードオフガス供給路３７が酸化剤ガス供給用の配管３１と接続される例を示したが、本発明では、このアノードオフガスが各セルのカソードの触媒層において酸化剤ガスと燃焼されればよいため、アノードオフガス供給路３７がどのように酸化剤ガスの流路と接続されてもよい。
【００４９】
ＥＣＵ２５は、ＣＰＵ(Central Processing Unit)、メモリ、入出力インタフェース等
により構成されており、ＣＰＵがメモリに格納された制御プログラムを実行することによって、燃料電池スタック内部の湿度制御を行う。この湿度制御では、上述の露点計１５からの出力信号に基づき、燃料電池スタック内部の湿度、特に、各セルの乾燥しやすい部分としてカソードの酸化剤ガス入口付近及びアノードの燃料ガス出口付近の湿度が湿潤に保たれるように制御される。ＥＣＵ２５は、この湿度制御において露点計１５からの計測露点と所定の下限値とを比較する。この所定の下限値は、予め調整可能にメモリ等に記憶される。このＥＣＵ２５による燃料電池スタック内部の湿度制御については、次の動作例の項において説明する。
【００５０】
〔動作例〕
以下、第一実施形態におけるＥＣＵ２５の燃料電池スタック内部の湿度制御について図
２を用いて説明する。図２は、第一実施形態における燃料電池スタック内部の湿度制御を示すフローチャートである。このＥＣＵ２５による湿度制御が実行する際には、本燃料電池システムは次のように作用している。
【００５１】
流量調整弁１８から送り出される燃料ガスが、配管３５を通り、燃料電池スタック１０内の燃料ガス供給通路に送り込まれ、エアコンプレッサ１２から送り出される酸化剤ガスが、配管３１を通り、燃料電池スタック１０の酸化剤ガス供給通路に送り込まれる。燃料電池スタック１０内の各セルでは、供給された燃料ガスと酸化剤ガスとが固体高分子電解質膜を介してそれぞれ反応し発電が行われる。各セルのカソードでは、カソード触媒層による化学反応により水が生成されている。この生成水の量は、各セルのカソード９０３の酸化剤ガス出口が多く、カソード９０３の酸化剤ガス入口が少ないという傾向にある。従って、図１０及び１１のようなセパレータを持つ各セルでは、更に随伴水も伴うため、結果として、カソード９０３の酸化剤ガス入口付近及びアノード９０２の燃料ガス出口付近においてそれぞれ水分が不足するという現象が生じる。アノードオフガスは、このような随伴水と拡散水とのバランスにより電解質膜を移動する水分を含み、燃料電池スタック１０内のアノードオフガス排出通路から配管３３へ送出される。
【００５２】
露点計１５は、このようなアノードオフガスの露点を計測している（Ｓ２０１）。露点計１５の計測値は、出力信号としてＥＣＵ２５に送られる。
【００５３】
ＥＣＵ２５は、露点計１５からの出力信号としてのアノードオフガスの露点計測値が下限値より低いか否か、すなわち、アノードオフガスに含まれる水分量が所定の量よりも少ないか否かを判断する（Ｓ２０２）。ＥＣＵ２５は、アノードオフガスの露点計測値が下限値より低い場合に（Ｓ２０２；ＹＥＳ）、アノードオフガスがアノードオフガス供給路３７へ送り出されるように三方弁２２を制御する（Ｓ２０３）。この制御により、アノードオフガスは、アノードオフガス供給路３７を通り配管３１へ送られ、酸化剤ガスと混合され、燃料電池スタック１０内に供給される。
【００５４】
また、三方弁２２が流量も制御可能な弁である場合には、アノードオフガスの露点計測値が低くなる程、アノードオフガス供給路３７に送られるアノードオフガスの量が大きくなるように三方弁２２が制御されるようにすればよい。
【００５５】
一方、ＥＣＵ２５は、アノードオフガスの露点計測値が下限値以上である場合に（Ｓ２０２；ＮＯ）、アノードオフガスが排気路３９方向へ排出されるように三方弁２２を制御する（Ｓ２０４）。この制御により、アノードオフガスは、燃料電池スタック１０のカソード側へ供給されることなく（若しくは供給される量が減らされ）、排出路３９へ排出される。
【００５６】
ＥＣＵ２５は、この図２に示す処理フローを繰り返し逐次実行する。ＥＣＵ２５は、この湿度制御を所定の周期で行うようにしてもよいし、逐次実行するようにしてもよい。
【００５７】
〈実施形態の作用及び効果〉
以下、上述した本発明の第一実施形態としての燃料電池システムの作用及び効果について述べる。
【００５８】
第一実施形態としての燃料電池システムは、燃料電池スタック１０内部の湿度を適切に保つために、アノードオフガスをカソード入口に戻すアノードオフガス供給路３７と共に、アノードオフガスの露点を計測する露点計１５及びアノードオフガスの流路を排気路３９方向か又はアノードオフガス供給路３７方向かに切り替える三方弁２２を備えている。
【００５９】
このような構成により、露点計１５によりアノードオフガスの露点が計測され、このアノードオフガスの露点に基づいてアノードオフガスに含まれる水分量が所定量よりも低いと判断された際に、このアノードオフガス供給路３７によりアノードオフガスがカソード入口へ供給される。逆に、アノードオフガスに含まれる水分量が所定量よりも多いと判断された場合には、アノードオフガスはカソード入口へ供給されず、排出路３９へ排出される。
【００６０】
このように第一実施形態の燃料電池システムでは、燃料電池スタック内部の湿度を把握するために、アノードオフガスの露点、すなわちアノードオフガスに含まれる水分量が計測される。その計測結果に基づいてその水分量が少ないと判断された場合に、アノードオフガスがカソード入口に供給される。その結果、カソードへ供給されたアノードオフガスがカソードの触媒反応により水に転化し透過水量も増すため、各セルの電解質膜全体を湿潤に保つことができる。
【００６１】
これにより、本実施形態によれば、各セルにおけるカソードの酸化剤ガス入口及びアノードの燃料ガス出口ではそれぞれ水分が不足しやすいという問題点を、外部加湿モジュールを備えることなく解消することができる。
【００６２】
更に、燃料電池スタック１０内の湿度に応じてアノードオフガスのカソード入口への供給の要否が決定されるため、燃料電池の運転状況に応じて電解質膜の湿潤状態の過不足が変化する場合にも適切に燃料電池スタック１０内部の湿度調整を管理することができる。
【００６３】
［第二実施形態］
本発明の第二実施形態における燃料電池システムについて以下に説明する。先に説明した第一実施形態における燃料電池システムは、露点計１５によりアノードオフガスの露点を計測し、その露点計測値に応じて、カソード入口へのアノードオフガスの供給を制御することにより、燃料電池スタック内部の湿度を適切に管理していた。第二実施形態における燃料電池システムは、各セルの出力電力を測定しその結果によりカソード入口へのアノードオフガスの供給を制御するようにしたものである。
【００６４】
〔システム構成〕
本発明の第二実施形態における燃料電池システムの構成について図３を用いて説明する。図３は、本発明の第二実施形態としての燃料電池システムの構成例を示す図である。第二実施形態における燃料電池システムは、第一実施形態における露点計１５を省き、各セルの出力電圧を計測するセルモニタ４１からの出力を利用する。それ以外の各機能部については第一実施形態と同様である。以下には、第一実施形態と相違する機能部としてセルモニタ４１及びＥＣＵ２５についてのみ説明する。
【００６５】
セルモニタ４１は、燃料電池スタック１０の発電量等を計測するために、一般的な燃料電池システムにおいて備えられている。第二実施形態では、このセルモニタ４１により測定されている各セルの出力電圧値を利用する。セルモニタ４１は、ＣＰＵ、メモリ、入出力インタフェース等により構成されており、各セルの出力電圧を入力して各セルの出力電圧値を測定している。第二実施形態では、この測定結果としての各セルの出力電圧値を燃料電池スタック１０の湿度制御を行うＥＣＵ２５に送る。
【００６６】
燃料電池スタック１０内の各セルでは、燃料ガスと酸化剤ガスとが固体高分子電解質膜を介してそれぞれ反応し発電が行われており、通常、要求発電量に応じていずれのセルにおいても略一定の電圧が出力されている。しかしながら、燃料電池スタック１０内が乾燥し始めると、複数のセルからの出力電圧が徐々に低下してくる。第二実施形態における燃料電池システムでは、この現象を検知することにより、燃料電池スタック１０内の湿度を
把握する。
【００６７】
具体的には、ＥＣＵ２５は、各セルの出力電圧情報に基づいて、最大出力電圧と最小出力電圧との差が所定の下限値よりも大きく、各セルの出力電圧の差がそれぞれ所定の上限値よりも小さくなっていることを検出する。ＥＣＵ２５は、このような現象を検出すると、燃料電池スタック１０内が乾燥し始めていると判断する。このような判断内容としたのは、各セルの出力電圧が低下するその他の現象と区別するためである。例えばアノードに供給される燃料ガスの水素濃度が低下した場合には、そのセルの出力電圧は急激に低下する。また、電解質膜の水分が多くなり過ぎている場合には、そのような現象が発生しているセルのみにおいて出力電圧が徐々に低下し始めその後急激に低下する。最大出力電圧と最小出力電圧との差及び各セルの出力電力差を確認することにより、このような現象を検出対象として除外することができる。
【００６８】
ＥＣＵ２５は、このような手法により燃料電池スタック１０内が乾燥し始めていると判断すると、第一実施形態と同様に、燃料電池スタック内部の湿度、特に、各セルの乾燥しやすい部分としてカソードの酸化剤ガス入口付近及びアノードの燃料ガス出口付近の湿度が湿潤に保たれるように制御する。上記所定の下限値及び所定の上限値は、予め調整可能にメモリ等に記憶される。この第二実施形態におけるＥＣＵ２５による燃料電池スタック内部の湿度制御については、次の動作例の項において説明する。
【００６９】
〔動作例〕
以下、第二実施形態におけるＥＣＵ２５の燃料電池スタック内部の湿度制御について図４を用いて説明する。図４は、第二実施形態における燃料電池スタック内部の湿度制御を示すフローチャートである。このＥＣＵ２５による湿度制御が実行される際の本燃料電池システムの作用は第一実施形態と同様であるため説明を省略する。
【００７０】
燃料電池スタック１０内の各セルの出力電圧がセルモニタ４１により計測されている（Ｓ４０１）。この各セルの出力電圧情報はそれぞれＥＣＵ２５に送られる。
【００７１】
ＥＣＵ２５は、セルモニタ４１からの出力信号としての各セルの出力電圧情報を受け、最大出力電圧と最小出力電圧との差が所定の下限値よりも大きく、各セルの出力電圧の差がそれぞれ所定の上限値よりも小さくなっているか否かを判断する（Ｓ４０２）。ＥＣＵ２５は、このような条件を満たす場合に（Ｓ４０２；ＹＥＳ）、燃料電池スタック内が乾燥し始めていると判断し、アノードオフガスがアノードオフガス供給路３７へ送り出されるように三方弁２２を制御する（Ｓ４０３）。
【００７２】
一方、ＥＣＵ２５は、最大出力電圧と最小出力電圧との差が所定の下限値以下であるか又は各セルの出力電圧の差がそれぞれ所定の上限値以上である場合に（Ｓ４０２；ＮＯ）、燃料電池スタック内が湿潤状態が保たれていると判断し、アノードオフガスが排気路３９方向へ排出されるように三方弁２２を制御する（Ｓ４０４）。
【００７３】
ＥＣＵ２５は、この図４に示す処理フローを繰り返し逐次実行する。ＥＣＵ２５は、この湿度制御を所定の周期で行うようにしてもよいし、逐次実行するようにしてもよい。
【００７４】
〈実施形態の作用及び効果〉
以下、上述した本発明の第二実施形態としての燃料電池システムの作用及び効果について述べる。
【００７５】
第二実施形態としての燃料電池システムは、燃料電池スタック１０内部の湿度を適切に保つために、第一実施形態における露点計１５を省き、一般的な燃料電池システムにおい
え備えられているセルモニタ４１により計測されている各セルの出力電圧を利用する。すなわち、第二実施形態における燃料電池システムでは、セルモニタ４１により計測されている各セルの出力電圧をＥＣＵ２５に入力し、ＥＣＵ２５がこの各セルの出力電圧情報に基づいて、燃料電池スタック１０内の湿潤状態を把握する。
【００７６】
これにより、第二実施形態によれば、第一実施形態における利点に加えて、更に、露点計１５等の燃料電池スタック内の湿度を計測する機器を備えることなく、燃料電池スタック１０内の湿潤状態が把握されるため、システムの部品の削減及び低コスト化を図ることができるという利点がある。
【００７７】
［第三実施形態］
本発明の第三実施形態における燃料電池システムについて以下に説明する。先に説明した第一実施形態及び第二実施形態における燃料電池システムは、露点計１５により計測されたアノードオフガスの露点若しくは各セルの出力電力の関係に基づいて燃料電池スタック１０内の湿度が把握され、乾燥し始めていると判断された場合に、カソード入口へアノードオフガスが供給されるように三方弁２２を制御していた。第三実施形態における燃料電池システムは、カソード入口へアノードオフガスを供給する前に所定の時間アノードオフガスを排気することにより、アノードオフガスに含まれる窒素等の水素以外の成分を低減させるように制御するものである。
【００７８】
〔システム構成〕
本発明の第三実施形態における燃料電池システムの構成について図５を用いて説明する。図５は、本発明の第三実施形態としての燃料電池システムの構成例を示す図である。第三実施形態における燃料電池システムは、第一実施形態及び第二実施形態のいずれの構成を採用してもよく、燃料ガス循環ポンプ１７に備えられるモータの回転数に関する情報をＥＣＵ２５に入力させるように構成されていればよい。図５には第一実施形態の機能構成を採る場合の例が示されている。以下には、第一実施形態及び第二実施形態と相違する機能部としてＥＣＵ２５について図５の構成例に基づいて説明する。
【００７９】
ＥＣＵ２５は、露点計１５からのアノードオフガスの露点計測値と共に燃料ガス循環ポンプ１７からモータの回転数に関する情報を取得する。ＥＣＵ２５は、アノードオフガスの露点計測値が所定の下限値よりも低いと判断した場合には、燃料ガス循環ポンプ１７からのモータの回転数に関する情報に基づいて所定の時間アノードオフガスを排出路３９へ排出するように三方弁２２を制御しアノードオフガスに含まれる水素濃度を高めた後、アノードオフガスをカソード入口（アノードオフガス供給路３７）へ送り出すように三方弁２２を制御する。アノードオフガスに含まれる水素濃度が低い場合すなわちアノードオフガスに含まれる水素以外の成分濃度が高い場合に、そのままアノードオフガスを酸化剤ガスと混合させると、酸化剤ガスの酸素濃度が低下し、燃料電池スタック１０の発電効率が低下してしまうからである。
【００８０】
アノードオフガスには、発電に利用されなかった残留水素の他、カソードからアノード側に漏れてくる酸化剤ガス（圧縮空気）中の窒素 、水蒸気などが含まれる。窒素及び水
蒸気は発電時に消費されないため、アノードオフガスをアノードオフガス循環経路により長時間に渡って循環させ続けると、これらの成分濃度が高くなる場合がある。
【００８１】
ＥＣＵ２５は、燃料ガス循環ポンプ１７のモータの回転数及びアノードオフガス循環経路の容積（循環され得るアノードオフガスの最大量）に基づいて、アノードオフガスを排出する時間を算出する。この場合、ＥＣＵ２５は、このアノードオフガス循環経路の容積について予めメモリ等に保持するようにする。また、ＥＣＵ２５は、燃料ガス循環ポンプ１７のモータの回転数とアノードオフガスの排出時間との対応表を予めメモリ等に調整可
能に保持するようにし、この対応表を参照することによりアノードオフガスの排出時間を決定するようにしてもよい。
【００８２】
ＥＣＵ２５は、アノードオフガスをアノードオフガス供給路３７へ送り出すように三方弁２２を制御する前に、このように決定された排出時間でアノードオフガスを排出路３９へ排出するように三方弁２２を制御する。これにより、水素以外の成分濃度の高いアノードオフガスが排出路３９方向へ排出されるため、以降、三方弁２２へ流入するアノードオフガスの水素濃度は高くなる。従って、その後、アノードオフガスをカソード入口へ送出し、酸化剤ガスと混合させたとしても、水素以外の成分により酸素濃度が低下することは少ないため、燃料電池スタック１０の発電効率の低下を防ぐことができる。
【００８３】
その他、アノードオフガスに含まれる水素濃度が高過ぎる場合にも水に転化する際に酸化剤ガスに含まれる酸素が多く消費されてしまうため、カソードへ供給される酸化剤ガスの酸素濃度が低下し、燃料電池スタック１０の発電効率が低下する恐れがある。従って、ＥＣＵ２５は、露点計１５からのアノードオフガスの露点計測値に基づいて、適量のアノードオフガスがカソード入口へ送り込まれるように制御するようにしてもよい。これには、ＥＣＵ２５は、アノードオフガスの露点計測値が所定の値より高くなり湿潤になったと判断するとすぐにアノードオフガスがカソード入口へ送られないように三方弁２２を閉めるように制御したり、アノードオフガスの露点計測値の低下度合に応じて三方弁２２を開ける時間を決めておきその決められた時間の間、アノードオフガスがカソード入口へ送り込まれるように三方弁２２を制御する。
【００８４】
〔動作例〕
以下、第三実施形態におけるＥＣＵ２５のアノードオフガス供給制御について図６を用いて説明する。図６は、第三実施形態におけるアノードオフガス供給制御を示すフローチャートである。このＥＣＵ２５による制御が実行される際の本燃料電池システムの作用は、第一実施形態及び第二実施形態と同様である。
【００８５】
燃料電池スタック１０から排出されたアノードオフガスは、燃料ガス循環ポンプ１７内のモータの回転数に応じた量及び圧力でアノードオフガス循環経路を通り、燃料ガス供給装置（図示せず）から供給され流量調整弁１８を通過した燃料ガスと配管３５により混合され、再度燃料電池スタック１０へ供給されている。そして、このアノードオフガスが長い時間に渡り循環され続けると、それに含まれる水素以外の成分濃度が高まり、水素濃度が低下していく。
【００８６】
露点計１５は、このようなアノードオフガスの露点を計測している（Ｓ６０１）。露点計１５の計測値は、出力信号としてＥＣＵ２５に送られる。
【００８７】
ＥＣＵ２５は、露点計１５からの出力信号としてのアノードオフガスの露点計測値が下限値より低いか否かを判断する（Ｓ６０２）。ＥＣＵ２５は、アノードオフガスの露点計測値が下限値より低い場合に（Ｓ６０２；ＹＥＳ）、所定の時間、アノードオフガスが排気路３９方向へ排出されるように三方弁２２を制御する（Ｓ６０３）。このとき、ＥＣＵ２５は、燃料ガス循環ポンプ１７からモータの回転数に関する情報を取得し、この情報に基づいてアノードオフガスの排出時間を決定する。この制御により、水素濃度の低下したアノードオフガスは排気路３９方向へ排出され、水素濃度の高いアノードオフガスが三方弁２２に流入する。
【００８８】
ＥＣＵ２５は、上記排出時間経過後、アノードオフガスがアノードオフガス供給路３７へ送り出されるように三方弁２２を制御する（Ｓ６０４）。この制御により、水素濃度の高いアノードオフガスが酸化剤ガスと混合され、燃料電池スタック１０内に供給される。
【００８９】
一方、ＥＣＵ２５は、アノードオフガスの露点計測値が下限値以上である場合に（Ｓ６０２；ＮＯ）、アノードオフガスが排気路３９方向へ排出されるように三方弁２２を制御する（Ｓ６０４）。この制御により、アノードオフガスは、燃料電池スタック１０のカソード側へ供給されることなく（若しくは供給される量が減らされ）、排出路３９へ排出される。ＥＣＵ２５は、この図６に示す処理フローを繰り返し逐次実行する。
【００９０】
〈実施形態の作用及び効果〉
以下、上述した本発明の第三実施形態としての燃料電池システムの作用及び効果について述べる。
【００９１】
第三実施形態としての燃料電池システムは、第一実施形態及び第二実施形態における燃料電池スタック１０内部の湿度制御に加えて、カソード入口へ供給するアノードオフガスに含まれる水素以外の成分濃度の低減処理を行う。
【００９２】
この処理では、燃料ガス循環経路に設けられた燃料ガス循環ポンプ１７のモータ回転数に関する情報に基づいてアノードオフガスの排出時間が決定される。続いて、この排出時間中、水素以外の成分濃度の高いアノードオフガスが排気路３９へ排出された後、水素濃度の高いアノードオフガスがカソード入口へ供給されるように制御される。
【００９３】
これにより、第三実施形態によれば、第一実施形態及び第二実施形態における利点に加えて、更に、アノードオフガスをカソード入口へ供給することによる弊害としての酸化剤ガスの酸素濃度の低減を防ぐことができる。
【００９４】
［第四実施形態］
本発明の第四実施形態における燃料電池システムについて以下に説明する。先に説明した第三実施形態における燃料電池システムは、カソード入口へアノードオフガスを供給する前に燃料ガス循環ポンプ１７の回転数に応じた時間中アノードオフガスを排気することにより、アノードオフガスに含まれる窒素等の水素以外の成分を低減させるというものであった。第四実施形態における燃料電池システムは、アノードオフガスのカソード入口供給前の排出の要否をそれの水素濃度に応じて決定するというものである。
【００９５】
〔システム構成〕
本発明の第四実施形態における燃料電池システムの構成について図７を用いて説明する。図７は、本発明の第四実施形態としての燃料電池システムの構成例を示す図である。第四実施形態における燃料電池システムは、第三実施形態の機能構成に加えて、アノードオフガス循環経路に水素センサ７１を備える。以下には、第三実施形態と相違する機能部として水素センサ７１及びＥＣＵ２５について図７の構成例に基づいて説明する。
【００９６】
水素センサ７１は、例えば熱電式水素センサである。この場合には、水素センサ７１は、表面に白金等の触媒を設けた検出素子を備え、水素が当該触媒に接触した際の発熱により生じた温度差を熱電変換膜等で電圧信号に変換し出力する。この水素センサ７１から出力される電圧信号は、ＥＣＵ２５へ送られる。なお、本発明は、水素センサ７１の実現手法を限定するものではないため、熱電式以外の他の方式により実現されるものであってもよい。
【００９７】
ＥＣＵ２５は、水素センサ７１からの電圧信号に基づいてアノードオフガスの水素濃度を検出する。ＥＣＵ２５は、この検出された水素濃度が所定の下限値より低いと判断した場合に、アノードオフガスのカソード入口供給前の排出を決定する。ＥＣＵ２５のそれ以外の処理については、上述の第三実施形態と同様である。
【００９８】
〔動作例〕
以下、第四実施形態におけるＥＣＵ２５のアノードオフガス供給制御について図８を用いて説明する。図８は、第四実施形態におけるアノードオフガス供給制御を示すフローチャートである。このＥＣＵ２５による制御が実行される際の本燃料電池システムの作用は、第三実施形態と同様である。
【００９９】
露点計１５は、アノードオフガスの露点を計測している（Ｓ８０１）。露点計１５の計測値は、出力信号としてＥＣＵ２５に送られる。
【０１００】
ＥＣＵ２５は、露点計１５からの出力信号としてのアノードオフガスの露点計測値が下限値より低いか否かを判断する（Ｓ８０２）。ＥＣＵ２５は、アノードオフガスの露点計測値が下限値より低い場合に（Ｓ８０２；ＹＥＳ）、更に、水素センサ７１からの電圧信号に基づいて検出されたアノードオフガスの水素濃度が所定の下限値より低いか否かを判断する（Ｓ８０３）。
【０１０１】
ＥＣＵ２５は、アノードオフガスの水素濃度が所定の下限値より低い場合に（Ｓ８０３；ＹＥＳ）、排出時間中、アノードオフガスが排気路３９方向へ排出されるように三方弁２２を制御する（Ｓ８０４）。ＥＣＵ２５は、上記排出時間経過後、水素濃度の高いアノードオフガスがアノードオフガス供給路３７へ送り出されるように三方弁２２を制御する（Ｓ８０５）。この制御により、水素濃度の高いアノードオフガスが酸化剤ガスと混合され、燃料電池スタック１０内に供給される。
【０１０２】
一方、ＥＣＵ２５は、アノードオフガスの水素濃度が所定の下限値より高い場合には（Ｓ８０３；ＮＯ）、アノードオフガスの排出を行うことなく、アノードオフガスがアノードオフガス供給路３７へ送り出されるように三方弁２２を制御する（Ｓ８０５）。これは、アノードオフガスに含まれる水素以外の成分濃度が高くないため、各セルのカソードに供給される酸化剤ガスの酸素濃度が低下するおそれが少ないからである。
【０１０３】
また、ＥＣＵ２５は、アノードオフガスの露点計測値が下限値以上である場合に（Ｓ８０２；ＮＯ）、アノードオフガスが排気路３９方向へ排出されるように三方弁２２を制御する（Ｓ８０６）。この制御により、アノードオフガスは、燃料電池スタック１０のカソード側へ供給されることなく（若しくは供給される量が減らされ）、排出路３９へ排出される。ＥＣＵ２５は、この図８に示す処理フローを繰り返し逐次実行する。
【０１０４】
〈実施形態の作用及び効果〉
以下、上述した本発明の第四実施形態としての燃料電池システムの作用及び効果について述べる。
【０１０５】
第四実施形態としての燃料電池システムは、第三実施形態におけるカソード入口へ供給するアノードオフガスに含まれる水素以外の成分濃度の低減処理の要否をアノードオフガスの水素濃度に応じて決定する。すなわち、アノードオフガスに含まれる水素以外の成分濃度が所定濃度より高い場合にのみ、アノードオフガスの排出を行う。
【０１０６】
これにより、第四実施形態によれば、第三実施形態における利点に加えて、更に、アノードオフガスの排出の要否が実際に検出されたアノードオフガスの水素濃度により決定されるため、不必要な排出を防ぐことができ、有効にアノードオフガスを利用することができる。
【図面の簡単な説明】
【０１０７】
【図１】本発明の第一実施形態としての燃料電池システムの構成例を示す図である。
【図２】第一実施形態における燃料電池スタック内部の湿度制御を示すフローチャートである。
【図３】本発明の第二実施形態としての燃料電池システムの構成例を示す図である。
【図４】第二実施形態における燃料電池スタック内部の湿度制御を示すフローチャートである。
【図５】本発明の第三実施形態としての燃料電池システムの構成例を示す図である。
【図６】第三実施形態におけるアノードオフガス供給制御を示すフローチャートである。
【図７】本発明の第四実施形態としての燃料電池システムの構成例を示す図である。
【図８】第四実施形態におけるアノードオフガス供給制御を示すフローチャートである。
【図９】固体高分子電解質型燃料電池（ＰＥＦＣ）の単セルの構成例を示す斜視図である。
【図１０】セパレータを正面から見た場合のガス供給路の構成例を示す図である。
【図１１】カウンターフロー型のセパレータを備える単セルの部分断面図である。
【符号の説明】
【０１０８】
１０  固体高分子電解質型燃料電池スタック
１２  エアコンプレッサ
１５  露点計
１６  気液分離器
１７  燃料ガス循環ポンプ
１８  流量調整弁
２１  排気排水弁
２２  三方弁
２５  ＥＣＵ（Electric Control Unit）
３１、３２、３３、３４、３５、３６、３７、３９  配管
４１  セルモニタ
７１  水素センサ
【図１】
2008288147.tif 000003
【図２】
2008288147.tif 000004
【図３】
2008288147.tif 000005
【図４】
2008288147.tif 000006
【図５】
2008288147.tif 000007
【図６】
2008288147.tif 000008
【図７】
2008288147.tif 000009
【図８】
2008288147.tif 000010
【図９】
2008288147.tif 000011
【図１０】
2008288147.tif 000012
【図１１】
2008288147.tif 000013